(57)【要約】【課題】差込み動作の簡易性の向上を図ったプロジェクタ用電源コネクタ、電源ケーブル、およびプロジェクタを提供することである。【解決手段】プロジェクタ用電源コネクタ１００は、画像を投射するプロジェクタ１に備えられ、外部の電源ケーブル５０と接続されてプロジェクタ１を駆動するための電源を供給し、一対の電源端子１１０と、当該一対の電源端子１１０間を結ぶ直線Ａに対して対称となる位置に一対のアース端子１２０とを備えるインレット型の電源コネクタである。また、プロジェクタ用電源コネクタ１００に接続される電源ケーブル５０は、プロジェクタ用電源コネクタ１００に相対した配列関係で接続する４ピン用のアウトレット型の電源コネクタ５００を有している。【選択図】図２
2008032783.tif 000002
【特許請求の範囲】
【請求項１】
画像を投射するプロジェクタに備えられ、外部の電源ケーブルと接続されて前記プロジェクタを駆動するための電源を供給するプロジェクタ用電源コネクタであって、
前記プロジェクタ用電源コネクタは、一対の電源端子と、当該一対の電源端子間を結ぶ直線に対して対称となる位置に一対のアース端子とを備えるインレット型の電源コネクタであることを特徴とするプロジェクタ用電源コネクタ。
【請求項２】
画像を投射するプロジェクタに備えられ、外部の電源ケーブルと接続されて前記プロジェクタを駆動するための電源を供給するプロジェクタ用電源コネクタであって、
前記プロジェクタ用電源コネクタは、一対の電源端子受部と、当該一対の電源端子受部間を結ぶ直線に対して対称となる位置に一対のアース端子受部とを備えるアウトレット型の電源コネクタであることを特徴とするプロジェクタ用電源コネクタ。
【請求項３】
請求項１に記載のプロジェクタ用電源コネクタに接続される電源ケーブルであって、
前記電源ケーブルの有する電源コネクタは、前記プロジェクタ用電源コネクタに相対した配列関係で接続する４ピン用のアウトレット型の電源コネクタであることを特徴とする電源ケーブル。
【請求項４】
請求項２に記載のプロジェクタ用電源コネクタに接続される電源ケーブルであって、
前記電源ケーブルの有する電源コネクタは、前記プロジェクタ用電源コネクタに相対した配列関係で接続する４ピン用のインレット型の電源コネクタであることを特徴とする電源ケーブル。
【請求項５】
請求項１または請求項２に記載のプロジェクタ用電源コネクタに接続される電源ケーブルであって、
前記電源ケーブルの有する前記電源コネクタに接続するケーブルは、前記電源コネクタの接続方向に対して略垂直方向に延びていることを特徴とする電源ケーブル。
【請求項６】
請求項３または請求項４に記載の電源ケーブルであって、
前記電源ケーブルの有する前記電源コネクタに接続するケーブルは、前記電源コネクタの接続方向に対して略垂直方向に延びていることを特徴とする電源ケーブル。
【請求項７】
請求項１または請求項２に記載のプロジェクタ用電源コネクタを備えたプロジェクタ。
【発明の詳細な説明】
【技術分野】
【０００１】
本発明は、画像を投射するプロジェクタに備えられ、外部の電源ケーブルと接続されてプロジェクタを駆動するための電源を供給するプロジェクタ用電源コネクタと、プロジェクタ用電源コネクタに接続する電源ケーブル、および電源コネクタを備えたプロジェクタに関するものである。
【背景技術】
【０００２】
従来、プロジェクタに備えられるプロジェクタ用電源コネクタは、３ピン用のインレット型の電源コネクタなどを備えている。３ピン用のインレット型の電源コネクタは、２つの電源端子と１つのアース端子を有した構成となっている。また、そのプロジェクタ用電源コネクタに接続する電源ケーブルの有する電源コネクタは、プロジェクタ用電源コネクタに対応した３ピン用のアウトレット型の電源コネクタとなっている。そして、電源ケーブルの一端に備える電源プラグを壁面などに設置されるコンセントに差込み、電源ケーブルの他端に備える電源コネクタをプロジェクタ用電源コネクタに差込むことにより、商用電源がプロジェクタに供給される。
なお、配線器具として用いられるコード横出しタイプのプラグに関しては、特許文献１などが提案されている。
【０００３】
【特許文献１】特開昭６２−１９５８６７号公報
【発明の開示】
【発明が解決しようとする課題】
【０００４】
上述した３ピン用の電源コネクタを用いる場合、設置されるプロジェクタ用電源コネクタに対して、プロジェクタ用電源コネクタの設置される方向で接続する方向が決まり、その方向に合わせて、電源ケーブルの電源コネクタを接続（差込み）する。そのため、電源ケーブルの電源コネクタを把持し、プロジェクタ用電源コネクタに差込もうとした場合、プロジェクタに設置されるプロジェクタ用電源コネクタの方向と異なる場合には、電源ケーブルの電源コネクタを回転させて、方向を合わせてから差込むことが必要であり、差込み動作の簡易性の面で課題があった。特に、電源コネクタの接続方向に対して垂直方向に延びたケーブル（Ｌ字型）を有する電源ケーブルを使用する場合、プロジェクタの設置場所と、コンセントの位置関係によっては、ケーブルの延びている方向にコンセントがある場合は良いが、逆の方向にコンセントがある場合には、ケーブルの延びている方向とは逆に折り返す形態で電源ケーブルを引き回す必要が生じる。また、電源ケーブルのケーブルは、一般に硬度が高く（または硬く）引き回しづらい。そのため、特に、モバイル型のプロジェクタなどにこのような電源ケーブルを用いた場合には、電源ケーブルの引き回し方により、設置位置がずれ易いなどの不具合が発生していた。
【０００５】
本発明は、上記課題に鑑みてなされたものであり、差込み動作の簡易性の向上を図ったプロジェクタ用電源コネクタ、電源ケーブル、およびプロジェクタを提供することを目的とする。
【課題を解決するための手段】
【０００６】
上述した目的を達成するために、本発明のプロジェクタ用電源コネクタは、画像を投射するプロジェクタに備えられ、外部の電源ケーブルと接続されてプロジェクタを駆動するための電源を供給するプロジェクタ用電源コネクタである。そして、プロジェクタ用電源コネクタは、一対の電源端子と、当該一対の電源端子間を結ぶ直線に対して対称となる位置に一対のアース端子とを備えるインレット型の電源コネクタであることを特徴とする。
【０００７】
このようなプロジェクタ用電源コネクタによれば、一対の電源端子と当該一対の電源端子間を結ぶ直線に対して対称となる位置に一対のアース端子とを備えるインレット型の電源コネクタであるため、電源ケーブルの電源コネクタを２方向で接続（１８０度回転して接続）することが可能となり、従来のように１方向に制限されて差込む必要がなくなるため、差込み動作の簡易性の向上を図ることができる。
【０００８】
上述した目的を達成するために、本発明のプロジェクタ用電源コネクタは、画像を投射するプロジェクタに備えられ、外部の電源ケーブルと接続されてプロジェクタを駆動するための電源を供給するプロジェクタ用電源コネクタである。そして、プロジェクタ用電源コネクタは、一対の電源端子受部と当該一対の電源端子受部間を結ぶ直線に対して対称となる位置に一対のアース端子受部とを備えるアウトレット型の電源コネクタであることを特徴とする。
【０００９】
このようなプロジェクタ用電源コネクタによれば、一対の電源端子受部と当該一対の電源端子受部間を結ぶ直線に対して対称となる位置に一対のアース端子受部とを備えるアウトレット型の電源コネクタであるため、電源ケーブルの電源コネクタを２方向で接続（１８０度回転して接続）することが可能となり、従来のように１方向に制限されて差込む必要がなくなるため、差込み動作の簡易性の向上を図ることができる。
【００１０】
上述した目的を達成するために、本発明の電源ケーブルは、上記プロジェクタ用電源コネクタに接続される電源ケーブルであって、電源ケーブルの有する電源コネクタは、プロジェクタ用電源コネクタに相対した配列関係で接続する４ピン用のアウトレット型の電源コネクタであることを特徴とする。
【００１１】
このような電源ケーブルによれば、一対の電源端子とこの一対の電源端子間を結ぶ直線に対して対称となる位置に一対のアース端子を備えるインレット型のプロジェクタ用電源コネクタに相対した配列関係で接続する４ピン用のアウトレット型の電源コネクタを接続する場合、電源ケーブルの電源コネクタを２方向で接続（１８０度回転して接続）することが可能となり、差込み動作の簡易性の向上を図ることができる。
【００１２】
上述した目的を達成するために、本発明の電源ケーブルは、上記プロジェクタ用電源コネクタに接続される電源ケーブルであって、電源ケーブルの有する電源コネクタは、プロジェクタ用電源コネクタに相対した配列関係で接続する４ピン用のインレット型の電源コネクタであることを特徴とする。
【００１３】
このような電源ケーブルによれば、一対の電源端子とこの一対の電源端子間を結ぶ直線に対して対称となる位置に一対のアース端子を備えるアウトレット型のプロジェクタ用電源コネクタに相対した配列関係で接続する４ピン用のインレット型の電源コネクタを接続する場合、電源ケーブルの電源コネクタを２方向で接続（１８０度回転して接続）することが可能となり、差込み動作の簡易性の向上を図ることができる。
【００１４】
上記プロジェクタ用電源コネクタに接続される電源ケーブルにおいて、電源ケーブルの有する電源コネクタに接続するケーブルは、電源コネクタの接続方向に対して略垂直方向に延びていることが好ましい。
【００１５】
このような電源ケーブルによれば、電源コネクタの接続方向に対して略垂直方向に延びているケーブルを有する電源ケーブルを用いた場合に、上記と同様に２方向で接続できるため、プロジェクタの設置位置とコンセントの設置位置の関係とは無関係に、ケーブルの延びている方向をコンセントの設置位置の方向に合わせる方向でプロジェクタ用電源コネクタに接続することができる。それにより、ケーブルの延びている方向とは逆に折り返す形態で電源ケーブルを引き回す必要がなくなる。従って、モバイル型のプロジェクタなどにこのような電源ケーブルを用いた場合には、設置位置のずれ易さを解消し、コンパクトに電源ケーブルをプロジェクタ用電源コネクタに接続することができる。
【発明を実施するための最良の形態】
【００１６】
以下、本発明の実施形態を図面に基づいて説明する。
（第１実施形態）
【００１７】
図１は、本発明の第１実施形態に係るプロジェクタ用電源コネクタをプロジェクタに設置した場合の斜視図である。図２は、プロジェクタ用電源コネクタの概略図であり、（ａ）は、プロジェクタ用電源コネクタの概略斜視図であり、（ｂ）は、プロジェクタ用電源コネクタの概略平面図である。図３は、本発明の第１実施形態に係る電源ケーブルの概略斜視図である。図１〜図３を参照して、プロジェクタ１、プロジェクタ用電源コネクタ１００および電源ケーブル５０の構成を説明する。
【００１８】
図１を参照して、プロジェクタ１の構成を説明する。
なお、図１は、プロジェクタ１の上面側で、かつ背面側から見た斜視図となっている。
プロジェクタ１は、光源としての光源ランプから射出された光束を液晶パネル、ディジタル・マイクロミラー・デバイス（テキサス・インスツルメント社の商標）等の光変調素子により画像情報に応じて変調してカラー画像（光学像）を形成し、このカラー画像を投射レンズ１８を介して、プロジェクタ１の外部に設置するスクリーンなどの被投射物上に投射する。投射レンズ１８の一部を除いて、各構成部品は外装ケース１０の内部に収容されている。
【００１９】
外装ケース１０は、プロジェクタ１の上面、左右側面の上部側および背面の上部側を覆う上ケース１１と、底面を構成し、左右側面の下部側および背面の下部側を覆う下ケース１２と、前面を覆う前ケース１３とから構成されている。なお、外装ケース１０は、樹脂材料を主原料に形成されている。
【００２０】
図１に示すように、上ケース１１の上面において、その前方側の左側には、スピーカ用の多数の連通孔１４が形成されている。その左側には、プロジェクタ１の画質などを調整するための複数の操作スイッチ１５が設けられている。連通孔１４、操作スイッチ１５の後方には、プロジェクタ１の内部に収容する光学部品などを冷却するための冷却ファンに外気を吸入する吸気口が設けられ、その吸気口を覆い吸気に伴って外気に含まれる埃などをプロジェクタ１の内部に侵入させないためのフィルタを有するフィルタ部材１６が設置されている。フィルタ部材１６の左側には、ＬＥＤ（発光ダイオード）の点灯のさせ方で、プロジェクタ１の動作状態を表示するインジケータパネル１７が設置されている。
【００２１】
プロジェクタ１の前ケース１３の左側には、投射レンズ１８が取付けられている。プロジェクタ１の背面の左側の上ケース１１と下ケース１２を切欠いた部位には、外部の機器などと接続するための入出力端子部１９が備えられ、各種の規格に適合する端子がそれぞれ設置されている。
【００２２】
プロジェクタ１の左側面の下ケース１２の略中央部位を切欠いて、本発明のプロジェクタ用電源コネクタ１００が下ケース１２の外面から若干内面側に入った状態で設置されている。図２（ａ）に示すのは、このプロジェクタ用電源コネクタ１００を詳細に示すために、プロジェクタ用電源コネクタ１００のみを取り出したときの概略斜視図である。図２（ｂ）は、そのプロジェクタ用電源コネクタ１００を差込みの方向から見た場合の概略平面図を示している。
【００２３】
図２に示すように、プロジェクタ用電源コネクタ１００は、本実施形態では、４ピン用のインレット型の電源コネクタとして構成されている。詳細には、プロジェクタ用電源コネクタ１００は、矩形形状の鍔部１０１と略８角形状の柱状部１０２を有する外装部が形成されている。そして、鍔部１０１の上面部１０１ａから、柱状部１０２の内部に向かって、略８角形状で所定の深さの窪みを有する差込み部１０３が形成されている。そして、差込み部１０３の底面１０４から板状の一対の電源端子１１０が突出して設けられている。また、電源端子１１０間を結ぶ直線Ａに対して対称となる位置に一対のアース端子１２０が同様に底面１０４から突出して設けられている。なお、電源端子１１０とアース端子１２０とは、柱状部１０２の背面部１０２ａにも突出されており、プロジェクタ１の内部に収容する電源部などに接続可能になっている。また、鍔部１０１は、プロジェクタ用電源コネクタ１００をプロジェクタ１の下ケース１２に固定させるときに使用する。
【００２４】
図３に示すように、プロジェクタ１のプロジェクタ用電源コネクタ１００に接続するための電源ケーブル５０は、プロジェクタ用電源コネクタ１００に差込み接続する４ピン用のアウトレット型の電源コネクタ５００とケーブル５１と電源プラグ５５とから構成されている。
【００２５】
アウトレット型の電源コネクタ５００は、所定の長さを有する略８角形状の柱状部５０１とその後に接続される把持部５０２とで外装が形成されている。柱状部５０１の上面部５０１ａから柱状部５０１の内部に向かって、プロジェクタ用電源コネクタ１００に有する電源端子１１０に相対した配列関係で、各電源端子１１０の端子形状と相似形状で、所定の深さの窪みを有する電源端子受部５１０が設けられている。また、同様にプロジェクタ用電源コネクタ１００に有するアース端子１２０に相対した配列関係で、各アース端子１２０の端子形状と相似形状で、所定の深さの窪みを有するアース端子受部５２０が設けられている。
【００２６】
また、電源端子受部５１０の内面側には、電源端子１１０と嵌合して電力を流す金属片（図示省略）が構成されている。また、アース端子受部５２０は、本実施形態では、アース端子１２０と嵌合する金属片は構成されているが、金属片は電気的に接続されていない。
【００２７】
アウトレット型の電源コネクタ５００の把持部５０２内部では、電源端子１１０と嵌合する金属片に金属細線のより線が接続され、そのより線を被服したケーブル５１が把持部５０２と電源プラグ５５とを結んでいる。電源プラグ５５は、把持部５６と把持部５６から突出する一対の板状の電源プラグ端子５７が突出して構成されている。そして、電源プラグ５５は、壁面などに設置されるコンセントに電源プラグ端子５７を差込むことにより、商用のＡＣ電源を電源端子受部５１０の金属片に供給する。
【００２８】
プロジェクタ用電源コネクタ１００と、電源ケーブル５０の電源コネクタ５００との接続方法を説明する。
プロジェクタ用電源コネクタ１００の差込み部１０３の内壁と電源コネクタ５００の柱状部５０１の外面は、それぞれ略８角形状を成しており、詳細には、辺の長さは各端子に近い各辺の長さが、それ以外の辺の長さより長く形成されている。そして、図２（ｂ）に示す直線Ａに対して、対称となる略８角形状に形成されている。また、差込み部１０３の内壁の形状は、柱状部５０１の外面の形状と相似形状に形成され、しかも、差込み部１０３の内壁の形状は、柱状部５０１の外面の形状より若干大きく形成されている。
【００２９】
ここで、電源コネクタ５００の把持部５０２を把持して、柱状部５０１の外面をプロジェクタ用電源コネクタ１００の差込み部１０３の内壁に合わせる。そして、差込み部１０３の内壁に柱状部５０１の外面を沿わせながら、柱状部５０１が止まるまで、差込み部１０３の内壁に沿って挿入する。この動作により、プロジェクタ用電源コネクタ１００の電源端子１１０とアース端子１２０は、相対する電源コネクタ５００の電源端子受部５１０とアース端子受部５２０に挿嵌される。それにより、電源端子１１０は、電源端子受部５１０に設置される金属片と嵌合し、電力をプロジェクタ１内部の接続する電源部に供給することができる。
【００３０】
なお、本実施形態は、このように挿嵌した状態の電源コネクタ５００を引き抜いて、電源コネクタ５００を１８０度回転してから、その状態で、差込み部１０３の内壁に沿って同様に挿嵌することもできる。
【００３１】
上述した、実施形態によれば以下の効果が得られる。
（１）本実施形態のプロジェクタ用電源コネクタ１００は、一対の電源端子１１０と、一対の電源端子１１０間を結ぶ直線Ａに対して対称となる位置に一対のアース端子１２０とを備えるインレット型の電源コネクタ１００である。それにより、電源ケーブル５０のアウトレット型の電源コネクタ５００を２方向で接続（１８０度回転して接続）することが可能となり、従来のように１方向に制限されて差込む必要がなくなるため、差込み動作の簡易性の向上を図ることができる。
【００３２】
（２）本実施形態の電源ケーブル５０は、一対の電源端子１１０と一対の電源端子１１０間を結ぶ直線Ａに対して対称となる位置に一対のアース端子１２０とを備えるインレット型の電源コネクタ１００に相対した配列関係で接続する４ピン用のアウトレット型の電源コネクタ５００を有している。そして、この電源コネクタ５００をプロジェクタ用電源コネクタ１００に接続する場合、電源コネクタ５００を２方向で接続（１８０度回転して接続）することが可能となり、差込み動作の簡易性の向上を図ることができる。
（第２実施形態）
【００３３】
図４は、本発明の第２実施形態に係るプロジェクタ用電源コネクタの斜視図である。図５は、本発明の第２実施形態に係る電源ケーブルの概略斜視図である。図４、図５を参照して、プロジェクタ用電源コネクタ２００および電源ケーブル６０の構成を説明する。
【００３４】
図４に示すように、プロジェクタ用電源コネクタ２００は、本実施形態では、４ピン用のアウトレット型の電源コネクタとして構成されている。詳細には、プロジェクタ用電源コネクタ２００は、矩形形状の鍔部２０１と柱状部２０２を有して外装が形成されている。そして、鍔部２０１の上面部２０１ａから、柱状部２０２の内部に向かって、略８角形状で所定の深さの窪みを有する溝部２０３が形成される。また、溝部２０３の底面からは、溝部２０３の内面形状に相似形状で形成される略８角形状を有するコネクト用柱状部２０４が立設して形成されている。
【００３５】
そして、コネクト用柱状部２０４の上面部２０４ａには、コネクト用柱状部２０４の内部に向かって、平面矩形形状で、所定の深さの窪みを有する一対の電源端子受部２１０が設けられている。また、電源端子受部２１０間を結ぶ直線Ｂに対して対称となる位置に一対のアース端子受部２２０が同様に、平面矩形形状で、所定の深さの窪みを有して設けられている。
【００３６】
なお、電源端子受部２１０の内面側には、後述する電源端子６１０と嵌合して電力を流す金属片（図示省略）が構成されている。また、アース端子受部２２０は、本実施形態では、アース端子１２０と嵌合する金属片は構成されているが、金属片は電気的に接続されていない。
【００３７】
なお、電源端子受部２１０に設けられる金属片は、柱状部２０２の背面部２０２ａにも突出しており、プロジェクタ１の内部に収容する電源部などに接続可能になっている。また、鍔部２０１は、プロジェクタ用電源コネクタ２００をプロジェクタ１の下ケース１２に固定させるときに使用する。
【００３８】
図５に示すように、プロジェクタ１に設置されるプロジェクタ用電源コネクタ２００に接続するための電源ケーブル６０は、プロジェクタ用電源コネクタ２００に差込み接続する４ピン用のインレット型の電源コネクタ６００とケーブル５１と電源プラグ５５とから構成されている。
【００３９】
インレット型の電源コネクタ６００は、略８角形状を有する柱状部６０１と、その後に接続される把持部６０２とで外装が形成されている。そして、柱状部６０１の上面部６０１ａから、柱状部６０１の内部に向かって、柱状部６０１の外面形状と相似形状となる略８角形状で所定の深さの窪みを有する差込み部６０３が形成されている。そして、差込み部６０３の底面６０４からプロジェクタ用電源コネクタ２００の電源端子受部２１０に相対した配列関係で、各電源端子受部２１０の溝形状と相似形状で、板状の一対の電源端子６１０が突出して設けられている。また、同様にプロジェクタ用電源コネクタ２００に有するアース端子受部２２０に相対した配列関係で、各アース端子受部２２０の溝形状と相似形状で、板状の一対のアース端子６２０が突出して設けられている。
【００４０】
インレット型の電源コネクタ６００の把持部６０２内部では、電源端子６１０に金属細線のより線が接続される。なおケーブル５１と、電源プラグ５５は、第１実施形態と同様に構成されて同様の動作を行う。
【００４１】
プロジェクタ用電源コネクタ２００と、電源ケーブル６０の電源コネクタ６００との接続方法を説明する。
プロジェクタ用電源コネクタ２００のコネクト用柱状部２０４の外面と、電源コネクタ６００の柱状部６０１の差込み部６０３が形成された内面は、それぞれ略８角形状を成しており、詳細には、辺の長さは各端子に近い各辺の長さが、それ以外の辺の長さより長く形成されている。そして、図４に示す直線Ｂに対して対称となる略８角形状に形成されている。また、電源コネクタ６００の柱状部６０１の差込み部６０３が形成された内面の形状は、プロジェクタ用電源コネクタ２００のコネクト用柱状部２０４の外面の形状と相似形状に形成され、しかも、柱状部６０１の差込み部６０３が形成された内面の形状は、コネクト用柱状部２０４の外面の形状より若干大きく形成されている。
【００４２】
ここで、電源コネクタ６００の把持部６０２を把持して、柱状部６０１の差込み部６０３が形成された内面をプロジェクタ用電源コネクタ２００のコネクト用柱状部２０４の外面に合わせる。そして、コネクト用柱状部２０４の外面に柱状部６０１の差込み部６０３が形成された内面を沿わせながら、柱状部６０１が止まるまで、コネクト用柱状部２０４の外面に沿って挿入する。この動作により、電源コネクタ６００の電源端子６１０とアース端子６２０は、相対するプロジェクタ用電源コネクタ２００の電源端子受部２１０とアース端子受部２２０に挿嵌される。それにより、電源端子６１０は、電源端子受部２１０に設置される金属片と嵌合し、電力をプロジェクタ１内部の接続する電源部に供給することができる。
【００４３】
なお、本実施形態は、このように挿嵌した状態の電源コネクタ６００を引き抜いて、電源コネクタ６００を１８０度回転してから、その状態で、コネクト用柱状部２０４の外面に沿って同様に挿嵌することもできる。
【００４４】
上述した、実施形態によれば以下の効果が得られる。
（１）本実施形態のプロジェクタ用電源コネクタ２００は、一対の電源端子受部２１０と一対の電源端子受部２１０間を結ぶ直線Ｂに対して対称となる位置に一対のアース端子受部２２０とを備えるアウトレット型の電源コネクタ２００である。それにより、プロジェクタ用電源コネクタ２００は、電源ケーブル６０のインレット型の電源コネクタ６００を２方向で接続（１８０度回転して接続）することが可能となり、従来のように１方向に制限されて差込む必要がなくなるため、差込み動作の簡易性の向上を図ることができる。
【００４５】
（２）本実施形態の電源ケーブル６０は、一対の電源端子受部２１０と一対の電源端子受部２１０間を結ぶ直線Ｂに対して対称となる位置に一対のアース端子受部２２０とを備えるアウトレット型の電源コネクタ２００に相対した配列関係で接続する４ピン用のインレット型の電源コネクタ６００を有する。そして、この電源コネクタ６００をプロジェクタ用電源コネクタ２００に接続する場合、電源コネクタ６００を２方向で接続（１８０度回転して接続）することが可能となり、差込み動作の簡易性の向上を図ることができる。
（第３実施形態）
【００４６】
図６は、本発明の第３実施形態に係る電源ケーブルの概略斜視図である。図６を参照して、電源ケーブル７０の構成を説明する。
【００４７】
図６に示すように、本実施形態の電源ケーブル７０は、基本的構成は第１実施形態での電源ケーブル５０と同様である。第１実施形態の電源ケーブル５０と異なる部分を説明する。
【００４８】
第１実施形態と異なる部分は、第１実施形態での電源ケーブル５０のケーブル５１は、電源コネクタ５００の接続方向（差込み方向）と同一の方向に、把持部５０２から延出していた。しかし、本実施形態の電源ケーブル７０は、ケーブル５１の延出する方向が、電源コネクタ５００の接続方向に対して略垂直方向となっていることである。詳細には、本実施形態のプロジェクタ用電源コネクタ１００に、電源コネクタ５００を接続した場合（挿入して挿嵌させた場合）に、電源コネクタ５００の把持部５０２から延出するケーブル５１が、プロジェクタ用電源コネクタ１００の取付けられている下ケース１２の面部に平行で、プロジェクタ１の前面方向または背面方向に延びる形態となるように構成されている。なお、ケーブル５１が、プロジェクタ１の前面方向または背面方向のどちらに延びる形態となるかは、電源コネクタ５００をプロジェクタ用電源コネクタ１００に接続する場合の２つの方向のどちらの方向で接続したかにより異なる。以上の点が異なる部分であり、その他の構成や動作は電源ケーブル５０と同様である。図６において、第１実施形態と同様の構成には同様の符号を付記している。
【００４９】
上述した、実施形態によれば以下の効果が得られる。
（１）本実施形態の電源ケーブル７０によれば、第１実施形態の電源ケーブル５０と同様に２方向で接続できる。そして、プロジェクタ１の設置位置とコンセントの設置位置の関係には左右されず、ケーブル５１の延びている方向をコンセントの設置位置の方向に合わせる方向でプロジェクタ用電源コネクタ１００に接続することができる。それにより、ケーブル５１の延びている方向とは逆に折り返す形態で電源ケーブル７０を引き回す必要がなくなる。従って、モバイル型のプロジェクタなどにこのような電源ケーブル７０を用いた場合には、設置位置のずれ易さを解消し、コンパクトに電源ケーブル７０をプロジェクタ用電源コネクタ１００に接続することができる。
【００５０】
なお、本発明は、上述した実施形態に限定されず、種々の変更や改良などを加えることが可能である。変形例を以下に述べる。
【００５１】
（変形例１）前記第１実施形態において、プロジェクタ用電源コネクタ１００に有する電源端子１１０およびアース端子１２０は、板状の端子形状を有しているがこれに限られるものではない。電源端子１１０を円柱形状の端子とすることでも良く、電源端子１１０とアース端子１２０は異なる形状で良い。対を成す電源端子１１０同士、および、対を成すアース端子１２０同士は略同形状であれば良い。また、電源端子１１０およびアース端子１２０の形状を変更した場合には、電源ケーブル５０の電源コネクタ５００の相対する電源端子受部５１０およびアース端子受部５２０の溝形状も対応させて変更し、接続できるようにする必要がある。なお、この関係は、第２実施形態に関しても同様に適用できる。
【００５２】
（変形例２）前記第１実施形態において、電源ケーブル５０の電源コネクタ５００は４ピンの電源コネクタ５００で構成している。また、電源コネクタ５００の柱状部５０１もプロジェクタ用電源コネクタ１００の差込み部１０３の内壁の形状に相似形状で略８角形状に形成されている。しかし、これに限らず、電源ケーブル５０の電源コネクタ５００は、一対の電源端子受部５１０と１つのアース端子受部５２０を有して、その他のアース端子受部５２０を有さず、また、その有さないアース端子受部５２０の近辺の外形形状を取り去った形状（略６角形状）とする所謂３端子の電源ケーブルとして構成しても良い。このような構成の電源コネクタであっても、機能はそのままに、プロジェクタ用電源コネクタ１００に対して２方向で接続することが可能である。なお、このような場合は、電源端子１１０とアース端子１２０との隙間が、新たな略６角形状の外形部分が挿入できることが必要となる。なお、この関係は、第３実施形態に関しても同様に適用できる。
【００５３】
（変形例３）変形例２において、電源端子１１０とアース端子１２０との隙間が、新たな略６角形状の外形部分が挿入できない場合での対策を施した変形例を説明する。
図７は、本変形例のプロジェクタ用電源コネクタの概略平面図である。図８は、本変形例の電源ケーブルの概略斜視図である。また、図９は、プロジェクタ用電源コネクタに電源ケーブルの電源コネクタを差込んだ場合の平面関係図であり、（ａ）は、一方向に差込んだ場合の平面関係図であり、（ｂ）は、もう一方向に差込んだ場合の平面関係図である。図７〜図９を参照して、プロジェクタ用電源コネクタ３００と電源ケーブル８０の有する電源コネクタ８００の構成および動作を説明する。
【００５４】
図７に示すように、プロジェクタ用電源コネクタ３００は、第１実施形態でのプロジェクタ用電源コネクタ１００と略同様に構成されている。異なる部分は、アース端子１２０が、電源端子１１０を結ぶ直線Ａに対して、直線Ａに近くなるような配置関係で設けられていることである。その他は、図２に示すと略同様である。
【００５５】
図８に示すように、本変形例の電源ケーブル８０は、所謂３端子の電源コネクタ８００を有する電源ケーブル８０であり、他のケーブルおよび電源プラグは第１実施形態と同様のため、図示を省略している。
電源コネクタ８００は、略６角形状となる柱状部８０１を有し、その後には把持部８０２が構成される。柱状部８０１の上面部８０１ａから柱状部８０１の内部に向かって、プロジェクタ用電源コネクタ３００に有する電源端子１１０に相対した配列関係で、各電源端子１１０の端子形状と相似形状で、所定の深さの窪みを有する一対の電源端子受部８１０が設けられている。また、同様にプロジェクタ用電源コネクタ３００に有するアース端子１２０に相対した配列関係で、１つのアース端子１２０の端子形状と相似形状で、所定の深さの窪みを有する１つのアース端子受部８２０が設けられている。なお、他のアース端子１２０に相対する部分は、柱状部８０１を切欠いた切欠部８３０が形成されている。
【００５６】
図９（ａ）に示すように、プロジェクタ用電源コネクタ３００に電源コネクタ８００を接続した場合、一対の電源端子受部８１０に、対応する一対の電源端子１１０が挿嵌され、１つのアース端子受部８２０に、対応する１つのアース端子１２０が挿嵌される。そして、他の１つのアース端子１２０は、電源コネクタ８００の柱状部８０１に形成される切欠部８３０により、挿嵌されることなく逃げた形態で、当接することなく、プロジェクタ用電源コネクタ３００に電源コネクタ８００は接続することになる。また、図９（ｂ）に示すように、電源コネクタ８００をプロジェクタ用電源コネクタ３００に対して１８０度回転して接続することもできる。
【００５７】
上述したように、アース端子１２０が、電源端子１１０を結ぶ直線Ａに対して、直線Ａに近くなるような配置関係で設けられている場合には、電源コネクタ８００の柱状部８０１に切欠部８３０を設けた３端子のアウトレット型の電源コネクタ８００を用いることで、一方のアース端子１２０に当接することなく、前記実施形態と同様に、２方向の接続を行うことができる。
【００５８】
本発明を実施するための最良の形態を、上記記載で開示しているが、本発明は、これに限定されるものではない。すなわち、本発明は、主に特定の実施形態に関して図示し、かつ、説明しているが、本発明の要旨から逸脱することなく、上述した実施形態に対し、詳細な構成部材や、構成部材の形状・材質などにおいて、当業者が様々な変形（変更ならびに改良）を加えることができるものである。従って、詳細な構成部材や、構成部材の形状・材質などにおいて、当業者が様々な変形を加えることにより実施する場合も本発明に含まれるものである。
【図面の簡単な説明】
【００５９】
【図１】本発明の第１実施形態に係るプロジェクタ用電源コネクタをプロジェクタに設置した場合の斜視図。
【図２】プロジェクタ用電源コネクタの概略図であり、（ａ）は、プロジェクタ用電源コネクタの概略斜視図、（ｂ）は、プロジェクタ用電源コネクタの概略平面図。
【図３】電源ケーブルの概略斜視図。
【図４】本発明の第２実施形態に係るプロジェクタ用電源コネクタの斜視図。
【図５】電源ケーブルの概略斜視図。
【図６】本発明の第３実施形態に係る電源ケーブルの概略斜視図。
【図７】本変形例のプロジェクタ用電源コネクタの概略平面図。
【図８】電源ケーブルの概略斜視図。
【図９】プロジェクタ用電源コネクタに電源ケーブルの電源コネクタを差込んだ場合の平面関係図であり、（ａ）は、一方向に差込んだ場合の平面関係図、（ｂ）は、もう一方向に差込んだ場合の平面関係図。
【符号の説明】
【００６０】
１…プロジェクタ、１０…外装ケース、１８…投射レンズ、５０，６０，７０，８０…電源ケーブル、１００，２００，３００…プロジェクタ用電源コネクタ、１０３…差込み部、１１０，６１０…電源端子、１２０，６２０…アース端子、２０３…溝部、２０４…コネクト用柱状部、２１０，５１０，８１０…電源端子受部、２２０，５２０，８２０…アース端子受部、５００，６００，８００…電源コネクタ、５０１，６０１，８０１…柱状部、６０３…差込み部、８３０…切欠部。
【図１】
2008032783.tif 000003
【図２】
2008032783.tif 000004
【図３】
2008032783.tif 000005
【図４】
2008032783.tif 000006
【図５】
2008032783.tif 000007
【図６】
2008032783.tif 000008
【図７】
2008032783.tif 000009
【図８】
2008032783.tif 000010
【図９】
2008032783.tif 000011